(57)【要約】  【課題】  破砕室の排出口の径調節が行え、適宜の径以下の被破砕片を得ることのできる破砕バケットを提供する。  【解決手段】  バケット本体１内の中心に破砕歯９Ａを周方向に列設した回転体２を装置し、該回転体２と、該回転体２を取り囲んで列設した破砕歯９Ｂを備え、しかも、上下方向に位置調節自在にした調節体３とで破砕室４を構成する。そして、破砕室４の排出口４ａを、前記回転体２と前記調節体３のそれぞれに設けた上方すぼまり状のテーパ体で構成し、回転体側のテーパ体の傾斜面に対し調節体側のテーパ体斜面を急斜面とする。【選択図】    図３
2010142705.tif 000002
【特許請求の範囲】
【請求項１】
バケット本体内の中心に破砕歯を周方向に列設した回転体を装置し、該回転体と、該回転体を取り囲んで列設した破砕歯を備え、しかも、上下方向に位置調節自在にした調節体とで破砕室を構成し、該破砕室の排出口を、前記回転体と前記調節体のそれぞれに設けた上方すぼまり状のテーパ体で構成し、回転体側のテーパ体の傾斜面に対し調節体側のテーパ体斜面を急斜面とした、破砕バケット。
【発明の詳細な説明】
【技術分野】
【０００１】
本発明は、土木機械（パワーショベル）の回転腕の先端部に取付けて、コンクリート、石或いは木片などを破砕して粒状（小塊）にするために用いる破砕バケットに関するものである。
【背景技術】
【０００２】
例えば、バケットフレーム中心に配した回転破砕軸を多数の破砕片排出間隙を形成した壁板で取り囲み、破砕歯を備えた前記破砕軸と、固定歯を設けた前記壁板の間に破砕片の排出間隙を設けた構成のものがある（例えば、特許文献１）。
【０００３】
【特許文献１】特開２００１−１１３１９３号公報
【発明の開示】
【発明が解決しようとする課題】
【０００４】
前記従来構造のものは、破砕片（塊や粒子）の主排出空間となる排出間隙は、その径が一定であるので該径以上のものを破砕片として得るには、径を大きくしたバケットに変えるか、破砕作業を回分式にしてバケットに対して被破砕体を入れ替える必要があり、いずれにしても煩雑である。
【０００５】
本発明はバケットの交替などの煩雑な作業を回避して、排出口の径調節することにより適宜径の異なる破砕片を得ることのできる破砕バケットを提供することを目的として創案したものである。
【課題を解決するための手段】
【０００６】
バケット本体内の中心に破砕歯を周方向に列設した回転体を装置し、該回転体と、該回転体を取り囲んで列設した破砕歯を備え、しかも、上下方向に位置調節自在にした調節体とで破砕室を構成し、該破砕室の排出口を、前記回転体と前記調節体のそれぞれに設けた上方すぼまり状のテーパ体で構成し、回転体側のテーパ体の傾斜面に対し調節体側のテーパ体斜面を急斜面とした、構成とするのである。
【発明の効果】
【０００７】
本発明によれば、固定体を上下方向に位置変えすることにより、破砕片の排出口の径を変えることができ、従って、適宜の径の大きさ以下の破砕片を自在に得られる破砕バケットを提供できる。
【実施例】
【０００８】
図面は、本発明に係る破砕バケットの一実施例を示し、図１は一部欠截平面図、図２は図１のａ−ａ線断面図、図３は図１のｂ−ｂ線断面図、図４は図３のｃ−ｃ線断面図、図５は底面図である。
【０００９】
図示の破砕バケットＡは、土木機械（パワーショベル）の回転アームａの先端に取付けて、回転アームａによって所定の場所に移動させてすくい取ったコンクリート塊などの被破砕物を破砕片と成して外部に排出するもので、１はこのバケットＡの本体で、該本体１の中心部には回転体２を収設し、回転体２は上部側の直筒部２ａと下部側の、上部すぼまり状のテーパ体２ｂを備え、これらと、これら（回転体２）を取り囲む調節体３とで破砕室４を構成してある。
【００１０】
また、回転体２は、前記本体１の開放底板１ａに受支させたモータ受台５で下部側を、前記本体１の上部に設けた片持ち梁状の支持腕６で上部側を受支させて、モータ受台５上に装置したモータ７を駆動源として回転する。
【００１１】
回転体２を構成する前記直筒部２ａの周側には螺旋状傾斜帯板８を設け、該帯板８の下面に図示省略した破砕歯を列設して前記破砕室４内の被破砕物の、良好な破砕効率を得られるようにし、かつ、被破砕物を破砕室４下方の排出口４ａ方向に押し付けるようにしてある。
【００１２】
直筒部２ａとともに回転体２を構成する前記テーパ体２ｂは、上方すぼまり状のテーパ筒すなわち円錐台状の筒体で構成し、その傾斜面である周側面に周方向にして破砕歯９Ａを列設したものである。
【００１３】
回転体２を取り囲んで、回転体２と共に前記破砕室４を構成する前記調節体３は、上下方向の中間部に向って上方から漸次径を狭くし、しかも、内周面に周方向に沿わせて破砕歯９Ｂを列設した、下方すぼまり状のテーパ体で成る上枠材３ａと、下方から前記中間部に向って漸次径を狭くした、上方すぼまり状のテーパ体で成る下枠材３ｂとで構成したほぼ鼓形筒体で構成し、上、下枠材３ａ，３ｂの中間部に四方に向けて取付け腕１０を突設し、該取付け腕１０の先端を上下方向位置調節手段１１を介して前記バケット本体１に支持させたものである。
【００１４】
この調節体３の下部材である前記下枠材３ｂは、前記の通り、上部すぼまり状の円錐台形筒体で成り、回転体２の、下部材である前記テーパ体２ｂを取り囲むように配せられ、前記破砕室４の排出口４ａを構成すると共に、回転体２の前記テーパ体２ｂの傾斜面に対し、その傾斜面を急斜面と成し、前記破砕室４の下部上方から前記排出口４ａに向っての間隙が、漸次常に（調節体３を上下に位置をずらせても）狭くなるようにしてある。
【００１５】
前記上下方向位置調節手段１１は、前記調節体３の周壁に前記取付け腕１０に対応させて設けた窓口１３と、該窓口１３を取り囲んで閉塞するようにして前記周壁に突設した支持枠１４に固定ねじ１５Ａ，１５Ｂ，１５Ｃ，１５Ｄを組付けて構成したものである。すなわち前記窓口１３を通して支持枠１４内に、本体１の内側から挿入した取付け腕１０の先端部を、方形状の支持枠１４の上下、左右の四側壁１４ａ，１４ｂ，１４ｃ，１４ｄに螺合支持させた前記固定ねじ１５Ａ，１５Ｂ，１５Ｃ，１５Ｄの先端を圧接させるようにして構成し、固定ねじ１５Ａ，１５Ｂ，１５Ｃ，１５Ｄの所望のものを緩め或いは締め付けることにより当該腕１０を、左右方向或いは上下方向に位置調節するようにするものである。
【００１６】
もっとも、上下方向位置調節手段は、実施例の構成のものに限らず、調節体３を上下方向に位置調節できる構造のものであれば、本発明を実施する上に不都合はない。
【００１７】
実施例の破砕バケットＡは、破砕室４に収容された被破砕物を、回転体２の回転によって破砕歯９Ｂで破砕し、かつ、螺旋状傾斜帯板８で破砕しつつ、破砕室４下方へ移動させ、破砕歯９Ａで破砕し、排出口４ａから破砕片として外部に排出するものである。そして、各上下方向位置調節手段１１の固定ねじ１５Ａ，１５Ｂ，１５Ｃ，１５Ｄの適宜のものを緩め、調節体３を上下方向や左右方向に位置をずらせて当該ねじを再度締め付けることにより調節体３を好適な位置に設定変えすることができ、上下方向への位置変えによって排出口４ａの径を広狹自在に変えられ、所望の大きさ以下の破砕片を得られるのである。
【図面の簡単な説明】
【００１８】
【図１】一部欠截平面図。
【図２】図１のａ−ａ線断面図。
【図３】図１のｂ−ｂ線断面図。
【図４】図３のｃ−ｃ線断面図。
【図５】底面図。
【符号の説明】
【００１９】
１          バケット本体
２          回転体
３          調節体
４          破砕室
４ａ        排出口
９Ａ，９Ｂ  破砕歯
【図１】
2010142705.tif 000003
【図２】
2010142705.tif 000004
【図３】
2010142705.tif 000005
【図４】
2010142705.tif 000006
【図５】
2010142705.tif 000007